(57)【要約】【課題】コネクタ接続時の作業性を損なうことなく、強度の低下を抑制することが可能なダクト取付ブラケットの提供。【解決手段】ダクト取付ブラケット１０は、車体側に固定される板状の固定板部１１と、吸気ダクト３を支持するダクト支持部１２と、固定板部１１とダクト支持部１２との間に配置される板状の連結板部１３とを一体的に備える。固定板部１１には、車体側の固定側コネクタ３２にハーネス側コネクタ３３を接続する際にハーネス側コネクタ３３の挿通を許容するコネクタ挿通孔２５が形成されている。固定板部１１には、固定板部１１を車体側に締結固定するためのブラケット固定ボルト２０，２１が挿通されるボルト挿通孔１７，１８が形成されている。コネクタ挿通孔２５のうち固定板部１１側の第１領域２６は、漸次狭まるように縮幅している。【選択図】図１
2018123696.tif 000002
【特許請求の範囲】
【請求項１】
車体側に固定される板状の固定板部と、
ダクトを支持するダクト支持部と、
前記固定板部と前記ダクト支持部との間に配置される板状の連結板部とを一体的に備え、
前記固定板部には、車体側の固定側コネクタにハーネス側コネクタを接続する際に前記ハーネス側コネクタの挿通を許容するコネクタ挿通孔が形成され、
前記固定板部には、前記固定板部を車体側に固定するためのブラケット固定部品が挿通される固定部品挿通孔が形成され、
前記コネクタ挿通孔のうち前記固定板部側の領域は、漸次狭まるように縮幅している
ことを特徴とするダクト取付ブラケット。
【請求項２】
請求項１に記載のダクト取付ブラケットであって、
前記固定板部から延びてハーネスを支持する板状のハーネス支持板部を一体的に備え、
前記固定板部及び前記ハーネス支持板部には、前記固定板部から前記ハーネス支持板部へ跨って線状に連続するリブが形成されている
ことを特徴とするダクト取付ブラケット。
【発明の詳細な説明】
【技術分野】
【０００１】
本発明は、ダクトを車体側に固定するためのダクト取付ブラケットに関する。
【背景技術】
【０００２】
特許文献１には、車体に形成されたステーに吸気ダクトを固定する給気ダクト取付構造が記載されている。
【先行技術文献】
【特許文献】
【０００３】
【特許文献１】特開２０１５−３４４９５号公報
【発明の概要】
【発明が解決しようとする課題】
【０００４】
特許文献１の構造において、ステー（ダクト取付ブラケット）を車体と別体に構成し、ダクト取付ブラケットに固定部品挿通孔（例えばボルト挿通孔）を形成し、固定部品挿通孔を挿通するブラケット固定部品（例えばブラケット固定ボルト）によってダクト取付ブラケットを車体側（例えばエンジンのインテークマニホールド）に固定することが可能である。また、車体側の固定側コネクタにハーネス側コネクタを接続する際にハーネス側コネクタと干渉する位置にダクト取付ブラケットが配置される場合には、ハーネス側コネクタの挿通を許容するコネクタ挿通孔をダクト取付ブラケットに形成することによってハーネス側コネクタの接続が可能となる。係るコネクタ挿通孔は、コネクタ接続時の作業性を考慮すると大きく形成する方が好ましい。
【０００５】
しかし、コネクタ挿通孔の拡大によりコネクタ挿通孔と固定部品挿通孔との距離が短縮されると、ダクト取付ブラケットに外力が作用した際にコネクタ挿通孔と固定部品挿通孔との間に応力が集中し、ダクト取付ブラケットの強度が低下してしまう。
【０００６】
そこで、本発明は、コネクタ接続時の作業性を損なうことなく、強度の低下を抑制することが可能なダクト取付ブラケットの提供を目的とする。
【課題を解決するための手段】
【０００７】
上記目的を達成すべく、本発明の第１の態様のダクト取付ブラケットは、車体側に固定される板状の固定板部と、ダクトを支持するダクト支持部と、固定板部とダクト支持部との間に配置される板状の連結板部とを一体的に備える。
【０００８】
固定板部には、車体側の固定側コネクタにハーネス側コネクタを接続する際にハーネス側コネクタの挿通を許容するコネクタ挿通孔が形成されている。固定板部には、固定板部を車体側に固定するためのブラケット固定部品が挿通される固定部品挿通孔が形成されている。コネクタ挿通孔のうち固定板部側の領域は、漸次狭まるように縮幅している。
【０００９】
上記構成では、コネクタ挿通孔のうち固定板部側の領域は、漸次狭まるように縮幅しているので、コネクタ挿通孔と固定部品挿通孔との距離を確保することができる。このため、ダクト取付ブラケットに外力が作用した際のコネクタ挿通孔と固定部品挿通孔との間への応力集中が緩和され、ダクト取付ブラケットの強度の低下を抑制することができる。
【００１０】
また、コネクタ挿通孔のうち固定板部の反対側の領域については、ハーネス側コネクタを容易に挿通可能な大きさに形成することができるので、コネクタ接続時の作業性を損なうことがない。
【００１１】
本発明の第２の態様は、第１の態様のダクト取付ブラケットであって、固定板部から延びてハーネスを支持する板状のハーネス支持板部を一体的に備える。固定板部及びハーネス支持板部には、固定板部からハーネス支持板部へ跨って線状に連続するリブが形成されている。
【００１２】
上記構成では、固定板部からハーネス支持板部へ跨って線状に連続するリブが形成されているので、ハーネス支持板部によるハーネスの支持強度を増大させることができる。
【発明の効果】
【００１３】
本発明によれば、コネクタ接続時の作業性を損なうことなく、ダクト取付ブラケットの強度の低下を抑制することができる。
【図面の簡単な説明】
【００１４】
【図１】本発明の一実施形態のダクト取付ブラケットにより吸気ダクトをインテークマニホールドに取付けたダクト取付状態を示す斜視図である。
【図２】図１のダクト取付ブラケットを裏側から視た斜視図である。
【図３】図１のダクト取付状態を車幅方向から視た側面図である。
【図４】図３からハーネスを省略したダクト取付状態の側面図である。
【発明を実施するための形態】
【００１５】
以下、本発明の一実施形態に係るダクト取付ブラケット１０について、図１〜図４を参照して説明する。なお、図中の矢印ＦＲは車両前方を示す。本実施形態のダクト取付ブラケット１０は、エンジン１のインテークマニホールド２へ空気（吸気）を供給する吸気ダクト（インレットダクト）３を、車体側のインテークマニホールド２に対して固定するためのブラケットである。なお、本発明のダクト取付ブラケット１０により車体側に取付けられるダクトは、吸気ダクト３に限定されず、排気ダクト等の他のダクトであってもよい。また、ダクト取付ブラケット１０が固定される車体側の部材は、インテークマニホールド２に限定されず、車体フレーム等の他の部材であってもよい。
【００１６】
図１、図３及び図４に示すように、吸気ダクト３の一端部は、車両に搭載されるエンジン１のインテークマニホールド２に接続されている。吸気ダクト３の中間部は、一端部から曲折してインテークマニホールド２の外面に沿って延び、ダクト取付ブラケット１０を介してインテークマニホールド２に固定される。
【００１７】
図１〜図４に示すように、ダクト取付ブラケット１０は、固定板部１１とダクト支持部１２と連結板部１３とハーネス支持板部１４とを有し、これらは所定形状の金属板を曲折することによって一体形成されている。なお、ダクト取付ブラケット１０は金属製に限定されるものではなく、樹脂製などであってもよい。
【００１８】
連結板部１３は、一端縁部（図２中の上側の端縁部）が他端縁部（図２中の下側の端縁部）よりも長い台形状の板状体であり、固定板部１１とダクト支持部１２との間に配置される。連結板部１３の一端縁部と他端縁部とは、何れもダクト取付ブラケット１０の幅方向（ブラケット幅方向）に沿って延びる。
【００１９】
固定板部１１は、連結板部１３の一端縁部から第１曲折部１５を介して連続する矩形板状体であり、第１曲折部１５は、連結板部１３の一端縁部から一側へ曲折して固定板部１１の一端縁部に連続する。固定板部１１には、ブラケット固定ボルト（ブラケット固定部品）２０，２１がそれぞれ挿通される第１及び第２のボルト挿通孔（固定部品挿通孔）１７，１８がブラケット幅方向に互いに離間して形成されている。各ボルト挿通孔１７，１８にブラケット固定ボルト２０，２１を挿通しインテークマニホールド２側のボルト孔（図示省略）に螺合して締付けることによって、固定板部１１がインテークマニホールド２側に締結固定される。
【００２０】
ダクト支持部１２は、連結板部１３の他端縁部から第２曲折部１６を介して連続する矩形板状体であり、第２曲折部１６は、連結板部１３の他端縁部から他側（固定板部１１とは反対側）へ曲折してダクト支持部１２の一端縁部に連続する。ダクト支持部１２には、ダクト固定ボルト２２が挿通されるボルト挿通孔１９が形成されるとともに、ダクト固定ボルト２２と螺合するナット２３が溶接等によって固着されている。吸気ダクト３の中間部には板状のダクト側リップ部２４が固定的に設けられ、ダクト側リップ部２４をダクト支持部１２に重ね、ダクト側リップ部２４に形成されたボルト挿通孔（図示省略）をダクト支持部１２のボルト挿通孔１９に合わせた状態で、これらのボルト挿通孔１９にダクト固定ボルト２２を挿通しナット２３に螺合して締付けることによって、吸気ダクト３の中間部がダクト取付ブラケット１０側に締結固定される。
【００２１】
インテークマニホールド２の外面近傍にはメインハーネス３０が配策され、インテークマニホールド２の外面の所定位置には固定側コネクタ３２が設けられる。メインハーネス３０から分岐した分岐ハーネス３１の先端部にはハーネス側コネクタ３３が取付けられ、固定側コネクタ３２にはハーネス側コネクタ３３が着脱自在に接続される。ダクト取付ブラケット１０は、固定側コネクタ３２に対するハーネス側コネクタ３３の接続方向と連結板部１３とが交叉する姿勢でインテークマニホールド２側に固定され、連結板部１３には、固定側コネクタ３２にハーネス側コネクタ３３を接続する際にハーネス側コネクタ３３の挿通を許容するコネクタ挿通孔２５が形成されている。
【００２２】
コネクタ挿通孔２５は、固定側コネクタ３２の位置に合うように、ブラケット幅方向の中央よりも一側（ブラケット幅方向の一側）に偏って形成され、第１及び第２のボルト挿通孔１７，１８に対するコネクタ挿通孔２５の位置は、第１のボルト挿通孔１７側に偏っている。コネクタ挿通孔２５は、固定板部１１側の第１領域２６とダクト支持部１２側の第２領域２７とを有する。第２領域２７は長方形状であり、第１領域２６はブラケット幅方向の孔幅が第２領域２７から漸次狭まるように縮幅する台形状である。第１領域２６は、連結板部１３の一端縁部から第１曲折部１５を横断して固定板部１１の一端縁部まで形成されている。第１領域２６が上述のように縮幅することにより、コネクタ挿通孔２５の内周縁からボルト挿通孔１７，１８（特に第１のボルト挿通孔１７）の内周縁までの間の距離が確保されている。
【００２３】
ハーネス支持板部１４は、固定板部１１の他端縁部のうちブラケット幅方向の一側（コネクタ挿通孔２５が設けられた側）の領域から部分的に曲折して延びる矩形板状体であり、連結板部１３と対向しない側へ曲折している。ハーネス支持板部１４には、メインハーネス３０の中間部に固定されるクリップ３４が着脱自在に係合して取付けられるクリップ係合孔２８が形成されている。クリップ３４をクリップ係合孔２８に係合することにより、メインハーネス３０の中間部がハーネス支持板部１４に支持される。
【００２４】
ダクト取付ブラケット１０のブラケット幅方向の一側の端縁部には、ダクト支持部１２から連結板部１３及び固定板部１１を介してハーネス支持板部１４に亘って線状に連続する一側のリブ４０がＬ状に曲折形成されている。同様に、ダクト取付ブラケット１０のブラケット幅方向の他側の端縁部には、ダクト支持部１２から連結板部１３を介して固定板部１１に亘って線状に連続する他側のリブ４１がＬ状に曲折形成されている。
【００２５】
本実施形態によれば、コネクタ挿通孔２５のうち固定板部１１側の第１領域２６は、ブラケット幅方向の孔幅が漸次狭まるように縮幅するので、コネクタ挿通孔２５とボルト挿通孔１７，１８との距離（特に、第１のボルト挿通孔１７との距離）を確保することができる。このため、ダクト取付ブラケット１０に外力が作用した際のコネクタ挿通孔２５とボルト挿通孔１７，１８との間（特に、第１のボルト挿通孔１７との間）への応力集中が緩和され、ダクト取付ブラケット１０の強度の低下を抑制することができる。
【００２６】
コネクタ挿通孔２５のうち固定板部１１の反対側の第２領域２７については、ハーネス側コネクタ３３を容易に挿通可能な大きさに形成することができるので、コネクタ接続時の作業性を損なうことがない。
【００２７】
また、固定板部１１からハーネス支持板部１４へ跨って線状に連続するリブ４０が形成されているので、ハーネス支持板部１４によるメインハーネス３０の支持強度を増大させることができる。
【００２８】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論である。
【００２９】
例えば、ブラケット固定部品はブラケット固定ボルト２０，２１に限定されず、ビスやピン等のボルト以外の部品であってもよい。また、コネクタ挿通孔２５の第１領域２６の形状は台形状に限定されず、ブラケット幅方向の孔幅が漸次狭まるように縮幅する形状であればよい。また、リブ４０，４１はダクト取付ブラケット１０の端縁部にＬ状に曲折形成されるものに限定されず、例えばダクト取付ブラケット１０のブラケット幅方向の中間部にＵ状に曲折形成されるものや、ダクト取付ブラケット１０の表面から一体的に突出する突起状のものであってもよい。
【産業上の利用可能性】
【００３０】
本発明は、ダクトを車体側に固定するためのダクト取付ブラケットに広く適用可能である。
【符号の説明】
【００３１】
１：エンジン
２：インテークマニホールド
３：吸気ダクト
１０：ダクト取付ブラケット
１１：固定板部
１２：ダクト支持部
１３：連結板部
１４：ハーネス支持板部
１５：第１曲折部
１６：第２曲折部
１７，１８：ボルト挿通孔（固定部品挿通孔）
２０，２１：ブラケット固定ボルト（ブラケット固定部品）
２５：コネクタ挿通孔
２６：コネクタ挿通孔の第１領域（固定板部側の領域）
２７：コネクタ挿通孔の第２領域（ダクト支持部側の領域）
２８：クリップ係合孔
３０：メインハーネス
３１：分岐ハーネス
３２：固定側コネクタ
３３：ハーネス側コネクタ
３４：クリップ
４０，４１：リブ
【図１】
2018123696.tif 000003
【図２】
2018123696.tif 000004
【図３】
2018123696.tif 000005
【図４】
2018123696.tif 000006